(57)【要約】【課題】施工面に厚いタイルと薄いタイルを並べた凹凸を有するタイル面を熟練を要することなく簡単な作業で手間を掛けることなく形成することができるとともに、表張り台紙及びスペーサを水により短時間でタイルから除去できる通水性に優れたユニットタイル及びその製造方法を提供する。【解決手段】  厚さが厚いタイル１と薄いタイル２が所定数並べられ、薄いタイル２上に厚いタイル１と薄いタイル２の差厚分の暑さのスペーサ３が貼着され、表張り台紙５で厚いタイル１の表面とスペーサ３の表面が面一に連結されたユニットタイル７において、スペーサ３はハニカムの貫通孔が薄いタイル２の表面に対して直角方向に形成されているペーパーハニカムであり、表張り台紙５に複数の流水孔６が形成されているユニットタイル。【選択図】図４
2016023475.tif 000002
【特許請求の範囲】
【請求項１】
所定数の厚いタイルと薄いタイルが並べられ、前記薄いタイル上に前記厚いタイルと前記薄いタイルの差厚分の厚さのスペーサが前記薄いタイル上に貼着され、表張り台紙で前記厚いタイルの上面と前記スペーサの上面を面一に連結された凹凸を有するタイル面を形成するためのユニットタイルにおいて、
前記スペーサは、シート状のペーパーハニカムからなり、前記ペーパーハニカムの貫通孔が前記薄いタイルの表面に対して直角方向に形成されており、
前記表張り台紙は、前記ハニカムの貫通孔に通じる、水が流入する複数の流水孔が形成されていることを特徴とするユニットタイル。
【請求項２】
所定数の厚いタイルと薄いタイルを並べ、
前記薄いタイル上に前記厚いタイルと前記薄いタイルの差厚分の厚さのシート状のペーパーハニカムを、前記ペーパーハニカムの貫通孔が前記薄いタイルの表面に対して直角方向に前記薄いタイル上に貼着して段差をなくし、
前記ハニカムの貫通孔に通じる、水が流入する複数の流水孔が形成されている表張り台紙を前記厚いタイルの表面と前記スペーサの表面に面一に貼着して連結することを特徴とするユニットタイルの製造方法。
【発明の詳細な説明】
【技術分野】
【０００１】
本発明は、壁などの表面に凹凸を有するタイル面を形成するために使用されるユニットタイルに関し、特に厚さが異なるタイルを複数個並べ、表張り台紙を貼着して連結したユニットタイル及びその製造方法に関する。
【背景技術】
【０００２】
建物の壁などにタイルを張り付ける際、効率よく張り付けるため、同じ厚さのタイルを複数個並べ、並べたタイルの表面に表張り台紙を貼着して連結した表張りユニットタイルが使用されている。表張り台紙はタイルの表面に水溶性の糊によって貼着される。こうして得られたユニットタイルは、予めモルタルなどの接着材が塗布された下地面に押圧されて張り付けられ、接着材の硬化後、表張り台紙を貼着している水溶性の糊を水で溶かして表張り台紙をタイルの表面から剥がしている。
【０００３】
形成されるタイル面は、前述の同じ厚さのタイルを並べた平らなタイル面だけでなく、美感を持たせるために厚さの異なるタイルを並べた凹凸を有するタイル面を形成することも行われている。
【０００４】
凹凸を有するタイル面を施工する際に、施工しやすいように、前述の同じ厚さのタイルを並べた表張りユニットタイルの製造方法に従って、厚さの異なるタイルを凹凸面状に並べ、その表面を表張り台紙で貼着し相互に連結してもユニットタイルを持ち上げると、薄いタイルが持ち上げられて凹凸面が維持されないので、凹凸を有するタイル面を形成することができない。
【０００５】
そこで、厚さの異なるタイルを複数個並べてユニット化したユニットタイルを使用して施工面に所望の凹凸を有するタイル面を形成する施工方法が提案されている（特許文献１参照）。
【０００６】
前記特許文献１に記載されているユニットタイル１０は、図６に示すように厚いタイル１１と薄いタイル１２とを所定の配列に並べ、厚いタイル１１と薄いタイル１２との差厚分に相当する厚さを有する厚紙又はプラスチック材からなるシート状のスペーサ片１３を水溶性の糊材で薄いタイル１２の表面に貼着し、吸水性の表張り台紙１４を厚いタイル１１の表面とスペーサ片１３の表面とを水溶性の糊材で貼着して高さを揃えて面一のユニットタイル１０にし、このユニットタイル１０を施工面に押し付けて張り付け施工して凹凸を有するタイル面を形成し、接着材の硬化後に水を掛けて水溶性の糊材を溶かし、表張り台紙とスペーサ片をタイルの表面から剥がす、というものである。
【先行技術文献】
【特許文献】
【０００７】
【特許文献１】特開平８−４２４４号公報
【発明の概要】
【発明が解決しようとする課題】
【０００８】
しかしながら、前記特許文献１に記載のユニットタイルでは、タイル張り付け施工後に表張り台紙及びスペーサ片をタイルから水で除去する際、シート状のスペーサ片が薄いタイル全面に貼着されるとともに、スペーサ片の上面と厚いタイルの上面に、表張り台紙が貼り付けられている。そのため、水がタイルやスペーサ片の周囲からしか浸入できないので、表張り台紙とスペーサ片の上面の間の貼着部、薄いタイルとシート状のスペーサ片の間の貼着部の全体へ水がすぐに浸入できず、水溶性の糊材の溶解に時間がかかることから、表張り台紙及びスペーサ片を短時間で除去することができない、という問題があった。
【０００９】
そのため、凹凸を有するタイル面を形成する場合には、表張りユニットタイルでタイル面を形成した後、凹凸を有するタイル面のデザインに応じて、手作業で所定位置のタイルを剥がし、その箇所に接着材を塗ったタイルを嵌め込んで接着している。しかしながら、手作業に手間がかかるだけでなく熟練を要するために作業効率が悪く、また、近年の労働者不足から、効率よく簡単な作業で手間を掛けることなく凹凸を有するタイル面を形成する技術が望まれていた。
【００１０】
そこで、本発明は、施工面に厚いタイルと薄いタイルを並べた凹凸を有するタイル面を熟練を要することなく簡単な作業で手間を掛けることなく形成することができるとともに、表張り台紙及びスペーサを水により短時間でタイルから除去できる通水性に優れたユニットタイル及びその製造方法を提供するものである。
【課題を解決するための手段】
【００１１】
本願請求項１の発明は、所定数の厚いタイルと薄いタイルが並べられ、前記薄いタイル上に前記厚いタイルと前記薄いタイルの差厚分の厚さのスペーサが前記薄いタイル上に貼着され、表張り台紙で前記厚いタイルの上面と前記スペーサの上面を面一に連結された凹凸を有するタイル面を形成するためのユニットタイルにおいて、前記スペーサは、シート状のペーパーハニカムからなり、前記ペーパーハニカムの貫通孔が前記薄いタイルの表面に対して直角方向に形成されており、前記表張り台紙は、前記ハニカムの貫通孔に通じる、水が流入する複数の流水孔が形成されていることを特徴とするユニットタイルである。
【００１２】
本願請求項２の発明は、所定数の厚いタイルと薄いタイルを並べ、前記薄いタイル上に前記厚いタイルと前記薄いタイルの差厚分の厚さのシート状のペーパーハニカムを、前記ペーパーハニカムの貫通孔が前記薄いタイルの表面に対して直角方向に前記薄いタイル上に貼着して段差をなくし、前記ハニカムの貫通孔に通じる、水が流入する複数の流水孔が形成されている表張り台紙を前記厚いタイルの表面と前記スペーサの表面に面一に貼着して連結することを特徴とするユニットタイルの製造方法である。
【発明の効果】
【００１３】
本発明は、所定数の厚いタイルと薄いタイルが並べられ、表面が表張り台紙で面一に連結されたユニットタイルにおいて、スペーサがペーパーハニカムの貫通孔が薄いタイルの表面に対して直角方向に形成されているペーパーハニカムであり、さらに、表張り台紙にハニカムの貫通孔に通じる、水が流入可能な複数の流水孔が形成されていることから通水性に優れているので、壁に接着後のユニットタイルに水を掛けると、水が表張り台紙の流水孔を通してハニカムの貫通孔に流入し、水が糊の接着部分にすぐに浸入して糊が溶解する。その結果、タイルから表張り台紙及びスペーサを、従来の水が浸入にくい厚紙やプラスチックのスペーサ片に比べて短い時間で除去することができる。
【００１４】
本発明は、スペーサがペーパーハニカムの貫通孔が薄いタイルの表面に対して直角方向になるように貼着されるので、ユニットタイルを施工面であるモルタルなどの接着面に押し付けてもスペーサがつぶれることはない。その結果、ユニットタイルの上面を面一に保持されて凹凸面が崩れることはない。
【００１５】
本発明は、従来の同じ厚さのタイルを並べた表張りユニットタイルと同様の作業で凹凸を有するタイル面を施工することができるので、従来の手作業による凹凸を有するタイル面の施工に比べて熟練を要することなく、簡単な作業で手間を掛けることなく凹凸を有するタイル面を形成することができる。
【図面の簡単な説明】
【００１６】
【図１】厚いタイルと薄いタイルを並べた凹凸状に並べた状態を示す図である。
【図２】本発明のスペーサを薄いタイルに載せた状態を示す図である。
【図３】本発明のスペーサであるペーパーハニカムを示す図である。
【図４】本発明の表張り台紙で面一に連結されたユニットタイルを示す図である。
【図５】本発明の表張り台紙と薄いタイルに載せたスペーサを示す断面図である。
【図６】従来のユニットタイルの断面図である。
【発明を実施するための形態】
【００１７】
本発明のユニットタイルについて図面を参照しながら説明する。
【実施例１】
【００１８】
図１において、壁などの施工面に形成される凹凸を有するタイル面のデザインに応じて厚さの厚いタイル１と薄いタイル２が所定数並べられる。所定数のタイル１，２は、例えば、３００ｍｍ×３００ｍｍの正方形に並べられる。
【００１９】
図２において、薄いタイル２の上には、ペーパーハニカムからなるシート状のスペーサ３が貼着される。図３において、スペーサ３はペーパーハニカムの貫通孔４が薄いタイル２の上面に対して直角方向に向くように平板３ａと波板３ｂが水溶性の糊で貼着される。糊には、ユニットタイルを壁などの施工面に接着後、スペーサ３を水により容易に除去できるようにするため、デンプン糊のような水で溶ける糊を使用する。
【００２０】
スペーサ３をハニカムの貫通孔４が薄いタイル２の上面に対して直角方向に向くように平板３ａと波板３ｂが貼着されることにより、ハニカムの貫通孔４の方向は十分な強度があるので、ユニットタイルを、モルタルなどの接着面に押し付けてもスペーサ３がつぶれることはなく、厚いタイル１の上面とスペーサ３の上面を面一に保持することができる。
【００２１】
また、スペーサ３をハニカムの貫通孔４が薄いタイル２の上面に対して直角方向に向くように配置することにより、スペーサ３を水により除去する際に、貫通孔４に水が流入して糊の貼着面全体に供給されて糊を短時間で溶かすとともに、スペーサ３を短時間で除去することが可能となる。
【００２２】
スペーサ３は、厚いタイル１と薄いタイル２の差厚分の厚さを有し、薄いタイル２に貼着後に段差が解消され、厚いタイル１の上面とスペーサ３の上面が面一になる。スペーサ３は紙製のペーパーハニカムなので、薄いタイル２に合わせて所定の厚さ及び縦横の長さに容易に切断できる。
【００２３】
図４に示すように、厚いタイル１の上面と薄いタイル２に貼着したスペーサ３の上面が面一にされると、表張り台紙５が水溶性の糊で貼着され、ユニットタイル７となる。
【００２４】
表張り台紙５には、水が流入可能な複数の流水孔６が形成され、この流水孔６はスペーサ３のハニカムの貫通孔４に通じている。表張り台紙５の流水孔６がスペーサ３のハニカムの貫通孔４に通じているので、壁に取り付け後のユニットタイルに水を掛けると、水が流水孔６を通ってハニカムの貫通孔４に流入し、糊の接着部分に浸入して糊が溶解しタイル１，２から表張り台紙５、スペーサ３を短時間で容易に除去することができる。
【符号の説明】
【００２５】
１：厚いタイル
２：薄いタイル
３：スペーサ
４：ハニカムの貫通孔
５：表張り台紙
６：流水孔
７：ユニットタイル
１０：ユニットタイル
１１：厚いタイル
１２：薄いタイル
１３：スペーサ片
１４：表張り台紙
【図１】
2016023475.tif 000003
【図２】
2016023475.tif 000004
【図３】
2016023475.tif 000005
【図４】
2016023475.tif 000006
【図５】
2016023475.tif 000007
【図６】
2016023475.tif 000008